(57)【特許請求の範囲】
【請求項１】
第１のセルに関連するワイヤレスデバイスを動作させる方法であって、
セル内ピアツーピア通信のためのリソースの第１のセットを示し、セル間ピアツーピア通信のためのリソースの第２のセットを示す情報を受信することと、
前記受信した情報に基づいて、前記第１のセル内の第２のワイヤレスデバイスと通信するためにリソースの前記第１のセット、または第２のセル内の前記第２のワイヤレスデバイスと通信するためにリソースの前記第２のセットのうちの少なくとも１つを利用することと
前記受信した情報に基づいて、前記第１のセル内の前記第２のワイヤレスデバイスと通信するためにリソースの前記第２のセットを利用することと
を備え、
前記第１のセル内の前記第２のワイヤレスデバイスとの、リソースの前記第２のセットを利用した前記通信が、前記第１のセルと前記第２のセルとの間のセル間ピアツーピア通信のためのリソースの前記第２のセットを利用している別のリンクの優先順位よりも低い優先順位を有する、方法。
【請求項２】
セル内ピアツーピア通信のためのリソースの前記第１のセット、またはセル間ピアツーピア通信のためのリソースの前記第２のセットのうちの少なくとも１つに関する更新された情報を受信することをさらに備え、前記利用することが、前記更新された情報に基づく、請求項１に記載の方法。
【請求項３】
前記第２のワイヤレスデバイスが前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
をさらに備える、請求項１に記載の方法。
【請求項４】
前記第２のワイヤレスデバイスが前記第１のセル内にあるのか前記第２のセル内にあるのかに関する更新された追加情報を受信することをさらに備え、前記判断することが、前記更新された追加情報に基づく、請求項３に記載の方法。
【請求項５】
リソースの前記第２のセットに関する前記受信した情報が、前記第１のセルと前記第２のセルとの間の協調に基づく、請求項１に記載の方法。
【請求項６】
リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、請求項１に記載の方法。
【請求項７】
前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、請求項６に記載の方法。
【請求項８】
前記セル内ピアツーピア負荷がトラフィック特性に基づく、請求項６に記載の方法。
【請求項９】
ワイヤレス通信のための第１のセルに関連する装置であって、
セル内ピアツーピア通信のためのリソースの第１のセットを示し、セル間ピアツーピア通信のためのリソースの第２のセットを示す情報を受信することと、
前記受信した情報に基づいて、前記第１のセル内の第２の装置と通信するためにリソースの前記第１のセット、または第２のセル内の前記第２の装置と通信するためにリソースの前記第２のセットのうちの少なくとも１つを利用することと
前記受信した情報に基づいて、前記第１のセル内の前記第２の装置と通信するためにリソースの前記第２のセットを利用することと
を行うように構成された処理システム
を備え、
前記第１のセル内の前記第２の装置との、リソースの前記第２のセットを利用した前記通信が、前記第１のセルと前記第２のセルとの間のセル間ピアツーピア通信のためのリソースの前記第２のセットを利用している別のリンクの優先順位よりも低い優先順位を有する、装置。
【請求項１０】
前記処理システムは、セル内ピアツーピア通信のためのリソースの前記第１のセット、またはセル間ピアツーピア通信のためのリソースの前記第２のセットのうちの少なくとも１つに関する更新された情報を受信するようにさらに構成され、前記処理システムが、前記更新された情報に基づいてリソースの前記第１のセットまたはリソースの前記第２のセットのうちの少なくとも１つを利用する、請求項９に記載の装置。
【請求項１１】
前記処理システムは、
前記第２の装置が前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
を行うようにさらに構成された、請求項９に記載の装置。
【請求項１２】
前記処理システムは、前記第２の装置が前記第１のセル内にあるのか前記第２のセル内にあるのかに関する更新された追加情報を受信するようにさらに構成され、前記処理システムが、前記更新された追加情報に基づいて、リソースの前記第１のセットを利用すべきかリソースの前記第２のセットを利用すべきかを判断する、請求項１１に記載の装置。
【請求項１３】
リソースの前記第２のセットに関する前記受信した情報が、前記第１のセルと前記第２のセルとの間の協調に基づく、請求項９に記載の装置。
【請求項１４】
リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、請求項９に記載の装置。
【請求項１５】
前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、請求項１４に記載の装置。
【請求項１６】
前記セル内ピアツーピア負荷がトラフィック特性に基づく、請求項１４に記載の装置。
【請求項１７】
第１のセルに関連する装置であって、
セル内ピアツーピア通信のためのリソースの第１のセットを示し、セル間ピアツーピア通信のためのリソースの第２のセットを示す情報を受信するための手段と、
前記受信した情報に基づいて、前記第１のセル内の第２の装置と通信するためにリソースの前記第１のセット、または第２のセル内の前記第２の装置と通信するためにリソースの前記第２のセットのうちの少なくとも１つを利用するための手段と
前記受信した情報に基づいて、前記第１のセル内の前記第２の装置と通信するためにリソースの前記第２のセットを利用するための手段と
を備え、
前記第１のセル内の前記第２の装置との、リソースの前記第２のセットを利用した前記通信が、前記第１のセルと前記第２のセルとの間のセル間ピアツーピア通信のためのリソースの前記第２のセットを利用している別のリンクの優先順位よりも低い優先順位を有する、装置。
【請求項１８】
セル内ピアツーピア通信のためのリソースの前記第１のセット、またはセル間ピアツーピア通信のためのリソースの前記第２のセットのうちの少なくとも１つに関する更新された情報を受信するための手段をさらに備え、前記利用するための手段が、前記更新された情報に基づいてリソースの前記第１のセットまたはリソースの前記第２のセットのうちの少なくとも１つを利用する、請求項１７に記載の装置。
【請求項１９】
前記第２の装置が前記第１のセル内にあるのか前記第２のセル内にあるのかに関する追加情報を受信するための手段と、
前記受信した追加情報に基づいて、リソースの前記第１のセットを利用すべきかリソースの前記第２のセットを利用すべきかを判断するための手段と
をさらに備える、請求項１７に記載の装置。
【請求項２０】
前記第２の装置が前記第１のセル内にあるのか前記第２のセル内にあるのかに関する更新された追加情報を受信するための手段をさらに備え、前記判断するための手段が、前記更新された追加情報に基づいて、リソースの前記第１のセットを利用すべきかリソースの前記第２のセットを利用すべきかを判断する、請求項１９に記載の装置。
【請求項２１】
リソースの前記第２のセットに関する前記受信した情報が、前記第１のセルと前記第２のセルとの間の協調に基づく、請求項１７に記載の装置。
【請求項２２】
リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、請求項１７に記載の装置。
【請求項２３】
前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、請求項２２に記載の装置。
【請求項２４】
前記セル内ピアツーピア負荷がトラフィック特性に基づく、請求項２２に記載の装置。
【請求項２５】
第１のセルに関連するワイヤレスデバイスを動作するコンピュータ可読記憶媒体であって、
セル内ピアツーピア通信のためのリソースの第１のセットを示し、セル間ピアツーピア通信のためのリソースの第２のセットを示す情報を受信することと、
前記受信した情報に基づいて、前記第１のセル内の第２のワイヤレスデバイスと通信するためにリソースの前記第１のセット、または第２のセル内の前記第２のワイヤレスデバイスと通信するためにリソースの前記第２のセットのうちの少なくとも１つを利用することと
前記受信した情報に基づいて、前記第１のセル内の前記第２のワイヤレスデバイスと通信するためにリソースの前記第２のセットを利用することと、
を行うためのコードを備え、
前記第１のセル内の前記第２のワイヤレスデバイスとの、リソースの前記第２のセットを利用した前記通信が、前記第１のセルと前記第２のセルとの間のセル間ピアツーピア通信のためのリソースの前記第２のセットを利用している別のリンクの優先順位よりも低い優先順位を有する、コンピュータ可読記憶媒体。
【請求項２６】
セル内ピアツーピア通信のためのリソースの前記第１のセット、またはセル間ピアツーピア通信のためのリソースの前記第２のセットのうちの少なくとも１つに関する更新された情報を受信するためのコードをさらに備え、前記利用するためのコードが、前記更新された情報に基づいてリソースの前記第１のセットまたはリソースの前記第２のセットのうちの少なくとも１つを利用する、請求項２５に記載のコンピュータ可読記憶媒体。
【請求項２７】
前記第２のワイヤレスデバイスが前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
を行うためのコードをさらに備える、請求項２５に記載のコンピュータ可読記憶媒体。
【請求項２８】
前記第２のワイヤレスデバイスが前記第１のセル内にあるのか前記第２のセル内にあるのかに関する更新された追加情報を受信するためのコードをさらに備え、前記判断するためのコードが、前記更新された追加情報に基づいて、リソースの前記第１のセットを利用すべきかリソースの前記第２のセットを利用すべきかを判断する、請求項２７に記載のコンピュータ可読記憶媒体。
【請求項２９】
リソースの前記第２のセットに関する前記受信した情報が、前記第１のセルと前記第２のセルとの間の協調に基づく、請求項２５に記載のコンピュータ可読記憶媒体。
【請求項３０】
リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、請求項２５に記載のコンピュータ可読記憶媒体。
【請求項３１】
前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、請求項３０に記載のコンピュータ可読記憶媒体。
【請求項３２】
前記セル内ピアツーピア負荷がトラフィック特性に基づく、請求項３０に記載のコンピュータ可読記憶媒体。
【発明の詳細な説明】
【技術分野】
【０００１】
本開示は、一般に通信システムに関し、より詳細には、セルラーネットワークにおけるピアツーピア通信をサポートするためのリソース割振りに関する。
【背景技術】
【０００２】
ワイドエリアネットワーク（ＷＡＮ）におけるワイヤレス通信デバイスは、それらのサービング基地局を通して互いに通信し得る。ワイヤレス通信デバイスが互いに極めて近接している場合、それらは、ＦｌａｓｈＬｉｎＱなどのピアツーピア通信を使用して互いに直接通信し得る。ピアツーピア通信とＷＡＮ通信の両方の効率を改善するために、セルラーネットワークにおけるピアツーピア通信をサポートするためのリソース割振りのための方法および装置が必要とされる。
【発明の概要】
【０００３】
本開示の一態様では、第１のセルに関連するワイヤレスデバイスを動作させる方法が、セル内ピアツーピア（intracell peer-to-peer）通信のためのリソースの第１のセットと、セル間ピアツーピア（intercell peer-to-peer）通信のためのリソースの第２のセットとに関する情報を受信することを含む。さらに、本方法は、受信した情報に基づいて、第１のセル内の第２のワイヤレスデバイスと通信するためにリソースの第１のセット、または第２のセル内の第２のワイヤレスデバイスと通信するためにリソースの第２のセットのうちの少なくとも１つを利用することを含む。
【０００４】
本開示の一態様では、ワイヤレス通信のための第１のセルに関連する装置が処理システムを含む。処理システムは、セル内ピアツーピア通信のためのリソースの第１のセットと、セル間ピアツーピア通信のためのリソースの第２のセットとに関する情報を受信するように構成される。さらに、処理システムは、受信した情報に基づいて、第１のセル内の第２の装置と通信するためにリソースの第１のセット、または第２のセル内の第２の装置と通信するためにリソースの第２のセットのうちの少なくとも１つを利用するように構成される。
【０００５】
本開示の一態様では、第１のセルに関連する装置が、セル内ピアツーピア通信のためのリソースの第１のセットと、セル間ピアツーピア通信のためのリソースの第２のセットとに関する情報を受信するための手段を含む。さらに、本装置は、受信した情報に基づいて、第１のセル内の第２の装置と通信するためにリソースの第１のセット、または第２のセル内の第２の装置と通信するためにリソースの第２のセットのうちの少なくとも１つを利用するための手段を含む。
【０００６】
本開示の一態様では、第１のセルに関連するワイヤレスデバイス中のコンピュータプログラム製品がコンピュータ可読媒体を含む。コンピュータ可読媒体は、セル内ピアツーピア通信のためのリソースの第１のセットと、セル間ピアツーピア通信のためのリソースの第２のセットとに関する情報を受信するためのコードを含む。さらに、コンピュータ可読媒体は、受信した情報に基づいて、第１のセル内の第２のワイヤレスデバイスと通信するためにリソースの第１のセット、または第２のセル内の第２のワイヤレスデバイスと通信するためにリソースの第２のセットのうちの少なくとも１つを利用するためのコードを含む。
【図面の簡単な説明】
【０００７】
【図１】処理システムを採用する装置のためのハードウェア実装形態の一例を示す図。
【図２】例示的なワイヤレスワイドエリアネットワークおよびピアツーピア通信システムの図。
【図３】ワイドエリアネットワーク通信とピアツーピア通信とにおけるワイヤレス通信デバイスを示す図。
【図４】２つの同期した基地局のための割り振られたワイドエリアネットワークリソースとピアツーピアリソースとを示す図。
【図５】２つの同期した基地局のための例示的な割り振られたワイドエリアネットワークリソースとピアツーピアリソースとを示す図。
【図６】ワイヤレス通信の方法のフローチャート。
【図７】例示的な装置の機能を示す概念ブロック図。
【詳細な説明】
【０００８】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
次に、様々な装置および方法に関して通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。当業者なら、特定の適用例および全体的なシステムに課せられた全体的な設計制約に応じて、本開示全体にわたって提示される記載の機能をどのようにしたら最も良く実装することができるかを認識されよう。
【００１１】
図１は、処理システム１１４を採用する装置１００のためのハードウェア実装形態の一例を示す概念図である。装置１００は、当業者によって、ユーザ機器、移動局、加入者局、モバイルユニット、加入者ユニット、ワイヤレスユニット、ワイヤレスノード、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、プロセッサ１０４によって概略的に表される１つまたは複数のプロセッサと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体上で様々な他の装置と通信するための手段を与える。
【００１２】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、特定の装置のための以下で説明する様々な機能を実行させる。コンピュータ可読媒体１０６はまた、ソフトウェアを実行するときにプロセッサ１０４によって操作されるデータを記憶するために使用され得る。
【００１３】
図２は、例示的なワイヤレスワイドエリアネットワーク（ＷＡＮ）およびピアツーピア通信システム２００の図である。ワイヤレスＷＡＮおよびピアツーピア通信システム２００は、基地局２０２と複数のワイヤレス通信デバイス２０４〜２１６とを含む。ワイヤレス通信デバイスのいくつかは、ＷＡＮ通信を通して基地局２０２と通信し得、ワイヤレス通信デバイスのいくつかは、ピアツーピア通信を通して他のワイヤレス通信デバイスと通信し得る。たとえば、図２に示すように、ワイヤレス通信デバイス２０４、２０６はピアツーピア通信しており、ワイヤレス通信デバイス２０８、２１０はピアツーピア通信しており、ワイヤレス通信デバイス２１４、２１６はピアツーピア通信している。さらに、ワイヤレス通信デバイス２１２、２１４は基地局２０２とＷＡＮ通信している。
【００１４】
以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスピアツーピア通信システムなど、様々なワイヤレスピアツーピア通信システムのいずれにも適用可能である。説明を簡略化するために、例示的な方法および装置についてＦｌａｓｈＬｉｎＱのコンテキスト内で説明する。ただし、例示的な方法および装置は、より一般的にセルラーネットワーク内の様々な他のワイヤレスピアツーピア通信システムに適用可能であることを当業者は理解されよう。
【００１５】
図３は、ＷＡＮ通信とピアツーピア通信とにおけるワイヤレス通信デバイスを示す図３００である。図３に示すように、ワイヤレス通信デバイス３０４、３０６、３０８は基地局３０２と通信していることがあり、ワイヤレス通信デバイス３５４、３５６、３５８は基地局３５２と通信していることがある。さらに、ワイヤレス通信デバイス３０６、３０８、ワイヤレス通信デバイス３５６、３５８、およびワイヤレス通信デバイス３０４、３５４は、互いにピアツーピア通信していることがある。すなわち、それぞれ、ワイヤレス通信デバイス３０６、３０８は、基地局３０２のセル３０２’内でセル内ピアツーピア通信していることがあり、ワイヤレス通信デバイス３５６、３５８は、基地局３５２のセル３５２’内でセル内ピアツーピア通信していることがあり、ワイヤレス通信デバイス３０４、３５４は、基地局３０２のセル３０２’と基地局３５２のセル３５２’との間でセル間ピアツーピア通信していることがある。
【００１６】
ＷＡＮシナリオでは、ワイヤレス通信デバイス間のすべての通信は、ワイヤレス通信デバイスとサービング基地局との間のアップリンクおよびダウンリンクチャネルを利用する。したがって、ワイヤレス通信デバイス３０６とワイヤレス通信デバイス３０８との間の通信は、基地局３０２を通過するであろう。２つのワイヤレス通信デバイスが互いの近傍にある場合、それらは、ピアツーピア通信が基地局を通過することなしに、そのピアツーピア通信を通して直接通信し得る。したがって、ワイヤレス通信デバイス３０６、３０８は、通信のために基地局３０２を利用することなしに、ピアツーピア通信を使用して互いに直接通信し得る。また、異なるセル中の２つのワイヤレス通信デバイスは、ピアツーピア通信を使用して通信し得る。たとえば、ワイヤレス通信デバイス３０４、３５４は、ピアツーピア通信が基地局３０２、３５２を通って進むことなしに、そのピアツーピア通信を使用して通信し得る。
【００１７】
ピアツーピア通信の１つの重要な特徴は再利用であり、すなわち、互いに干渉しない複数のピアツーピアリンクが同じリソース上で通信し得る。たとえば、ワイヤレス通信デバイス３０６、３０８を含む第１のリンクと、ワイヤレス通信デバイス３０４、３５４を含む第２のリンクとが互いに干渉しない場合、第１のリンクと第２のリンクとは、ピアツーピア通信のために同じリソースを使用し得る。ＷＡＮにおけるワイヤレス通信デバイス間のピアツーピア通信を可能にする１つの方法は、ピアツーピア通信のためにのみ使用されるべき、ＷＡＮスペクトル内の周期ピアツーピアリソースを割り振ることである。割り振られたピアツーピアリソースにおいて、複数のピアツーピアリンクが競合し、スケジュールされることを可能にするために、スマートスケジューリング機構が利用され、このようにして、再利用を可能にし得る。セル間ピアツーピア通信を可能にするために、基地局３０２、３５２は、ピアツーピア通信のために時間および周波数において同じリソースを割り振り得る。割り振られた同等のリソースが整合されることを確実にするために、基地局３０２、３５２は同期され得る。
【００１８】
図４は、２つの同期した基地局３０２、３５２のための割り振られたワイドエリアネットワークリソースとピアツーピアリソースとを示す図４００である。図４に示すように、基地局３０２は、ＷＡＮリソース４０２と直交ピアツーピアリソース（orthogonal peer-to-peer resource）４０４とを含む周期リソース（periodic resource）を割り振っており、基地局３５２は、ＷＡＮリソース４５２と直交ピアツーピアリソース４５４とを含む周期リソースを割り振っている。基地局３０２、３５４は、ピアツーピア通信のために同じリソースを割り振っている。ピアツーピアリソース４０４とピアツーピアリソース４５４とは、同等のリソースであり、セル間ピアツーピア通信を可能にするために整合される。
【００１９】
リソースのそのような割振りは、望ましくない依存性につながることがある。たとえば、ピアツーピア通信負荷とＷＡＮ通信負荷とに基づいて、基地局３０２は、ピアツーピア通信のためのそれのリソースの２０％のみを利用することによって、通信およびリソース使用効率を最大にすることが可能であり得、基地局３５２は、ピアツーピア通信のためのそれのリソースの８０％を利用することによって、通信およびリソース使用効率を最大にすることが可能であり得る。基地局３０２と基地局３５２との間のピアツーピアリソース割振りにおける協調により、ピアツーピア通信のためにそれらのリソースの５０％が使用され、したがって、結果として、基地局３０２、３５２の各々について通信およびリソース使用効率が低減され得る。したがって、すべてのピアツーピア通信のために同じリソースを割り振ることは望ましくないことがある。
【００２０】
図５は、２つの同期した基地局３０２、３５２のための例示的な割り振られたＷＡＮリソースとピアツーピアリソースとを示す図５００である。図５に示すように、基地局３０２は、ＷＡＮリソース５０２と、直交セル内ピアツーピアリソース５０４と、直交セル間ピアツーピアリソース５０６とを含む周期リソースを割り振っており、基地局３５２は、ＷＡＮリソース５５２と、直交セル内ピアツーピアリソース５５４と、直交セル間ピアツーピアリソース５５６とを含む周期リソースを割り振っている。基地局３０２、３５２は、同等のセル間ピアツーピアリソースの割振りを協調させるために通信し得、したがって、セル間ピアツーピアリソース５０６、５５６は、同じ周波数リソースを利用し、時間的に整合され得る。基地局３０２、３５２は、それぞれ、それらのそれぞれのセル内のワイヤレス通信デバイスに、セル間ピアツーピア通信のために割り振られたリソースを通知する情報を送り得る。基地局３０２、３５４は、セル３０２’とセル３５２’との間のセル間ピアツーピア負荷、およびセル３０２’、３５２’の各々のＷＡＮ負荷に基づいてセル間ピアツーピアリソース５０６、５５６の時間期間長さを選択し得る。セル間ピアツーピア負荷は、セル３０２’とセル３５２’との間のセル間ピアツーピアリンクの数に基づき得る。より低いＷＡＮ負荷およびより高いセル間ピアツーピア負荷が、より大きい比率のセル間ピアツーピアリソースを要求し得る。
【００２１】
基地局３０２、３５２の各々は、それ自体のセル内ピアツーピアリソースを独立して割り振り得る。基地局３０２、３５２は、それぞれ、それらのそれぞれのセル内のワイヤレス通信デバイスに、セル間ピアツーピア通信のために割り振られたリソースを通知する情報を送り得る。セル内ピアツーピアリソースは、同じ周波数リソースを利用し得るが、時間的に整合される必要はない。基地局３０２、３５２は、セル内ピアツーピア負荷とそれ自体のＷＡＮ負荷とに基づいて、セル内ピアツーピアリソースの時間期間長さを選択し得る。セル３０２’についてのセル内ピアツーピア負荷は、セル３０２’内のセル内ピアツーピアリンクの数に基づいて判断され得、セル３５２’についてのセル内ピアツーピア負荷は、セル３５２’内のセル内ピアツーピアリンクの数に基づいて判断され得る。代替的に、セル内ピアツーピア負荷は、セル内ピアツーピアリンクの数に基づいてではなく、サービス品質（ＱｏＳ）要件、データスループット要件、実際のデータスループット、遅延、および／またはジッタ（すなわち、送信する能力の変動性）などのトラフィック特性に基づいて判断され得る。より低いＷＡＮ負荷およびより高いセル内ピアツーピア負荷が、より大きい比率のセル内ピアツーピアリソースを要求し得る。さらに、ピアツーピア通信に関するより高いＱｏＳ要件、より高いデータスループット要件、より低い実際のデータスループット、より高い遅延、および／またはより高いジッタが、より大きい比率のセル内ピアツーピアリソースを要求し得る。
【００２２】
セル内ピアツーピアリソース５０４、５５４が時間的に整合されないことがあるので、セル内ピアツーピアリソース５０４、５５４は、セル内ピアツーピア通信のためにのみ利用され得る。たとえば、ワイヤレス通信デバイス３０６、３０８を含むリンクは、セル内ピアツーピアリソース５０４を利用し得、ワイヤレス通信デバイス３５６、３５８を含むリンクは、セル内ピアツーピアリソース５５４を利用し得る。ただし、ワイヤレスデバイス３０４、３５４を含むリンクは、セル内ピアツーピアリソース５０４またはセル内ピアツーピアリソース５５４を利用しないことがある。
【００２３】
一方、セル間ピアツーピアリソース５０６、５５６は、セル間ピアツーピア通信とセル内ピアツーピア通信の両方のために利用され得る。一構成では、リンクは、それらのリンクがセル間ピアツーピア通信に参加していた場合にそれらのリンクが本来なら有するであろう優先順位よりも低い優先順位をもつセル間ピアツーピアリソースを使用してセル内ピアツーピア通信に参加し得る。そのような構成では、セル間ピアツーピアリソースを使用してセル内ピアツーピア通信に参加しているリンクには、そのリンクのためのより低い媒体アクセス優先順位を要求するリソースが割り当てられ得る。たとえば、ワイヤレス通信デバイス３０６、３０８を含むリンクは、ワイヤレス通信デバイス３０４、３５４を含むリンクよりも低い媒体アクセス優先順位をもつセル間ピアツーピア通信リソース５０６を利用し得る。
【００２４】
図６は、例示的な方法のフローチャート６００である。本方法は、第１のセルに関連するワイヤレス通信デバイス１００によって実行される。図６に示すように、ワイヤレスデバイス１００は、セル内ピアツーピア通信のためのリソースの第１のセットと、セル間ピアツーピア通信のためのリソースの第２のセットとに関する情報を受信する（６０２）。さらに、ワイヤレスデバイス１００は、受信した情報に基づいて、第１のセル内の第２のワイヤレスデバイスと通信するためにリソースの第１のセット、または第２のセル内の第２のワイヤレスデバイスと通信するためにリソースの第２のセットのうちの少なくとも１つを利用する（６０４）。たとえば、ワイヤレスデバイス３０４は、基地局３０２からセル内ピアツーピアリソース５０４とセル間ピアツーピアリソース５０６とに関する情報を受信し得る。受信した情報に基づいて、ワイヤレスデバイス３０４は、ワイヤレスデバイス３０８がセル３０２’内にあるとき、ワイヤレスデバイス３０８と通信するためにセル内ピアツーピアリソース５０４を利用し得るか、またはワイヤレスデバイス３０８がセル３５２’内にあるとき、ワイヤレスデバイス３０８と通信するためにセル間ピアツーピアリソース５０６を利用し得る。
【００２５】
ワイヤレスデバイス１００は、受信した情報に基づいて、第１のセル内の第２のワイヤレスデバイスと通信するためにリソースの第２のセットを利用する（６０６）。一構成では、第２のワイヤレスデバイスとの通信は、第１のセルと第２のセルとの間のセル間ピアツーピア通信のためのリソースの第２のセットを利用している別のリンクの優先順位よりも低い優先順位を有する（６０６）。たとえば、ワイヤレスデバイス３０４は、ワイヤレスデバイス３０８とセル内通信するために、セル間ピアツーピアリソース５０６を利用し得る。そのような状況では、ワイヤレスデバイス３０４、３０８を含むリンクのための媒体アクセス優先順位は、セル間ピアツーピアリソース５０６上でセル間ピアツーピア通信に同時に参加している他のリンクのための媒体アクセス優先順位よりも低くなり得る。
【００２６】
ワイヤレスデバイス１００は、セル内ピアツーピア通信のためのリソースの第１のセット、またはセル間ピアツーピア通信のためのリソースの第２のセットのうちの少なくとも１つに関する更新された情報を受信し得る。さらに、ワイヤレスデバイス１００は、更新された情報に基づいて、リソースの第１のセットまたはリソースの第２のセットのうちの少なくとも１つを利用し得る。ワイヤレスデバイス１００は、第２のワイヤレスデバイスが第１のセル内にあるのか第２のセル内にあるのかに関する追加情報を受信し（６０８）、受信した追加情報に基づいて、リソースの第１のセットを利用すべきかリソースの第２のセットを利用すべきかを判断する（６１０）。たとえば、ワイヤレスデバイス３０４は、基地局３０２、ワイヤレスデバイス３０８、または別のデバイスから、ワイヤレスデバイス３０８がセル３０２’内にあるのかセル３５２’内にあるのかに関する情報を受信し得、受信した情報に基づいて、セル内ピアツーピアリソース５０４を利用すべきかセル間ピアツーピアリソース５０６を利用すべきかを判断し得る。ワイヤレスデバイス３０８がセル３０２’内にない場合、ワイヤレスデバイス３０４は、ワイヤレスデバイス３０８と通信するためにセル間ピアツーピアリソース５０６を利用し得る。ワイヤレスデバイス３０８がセル３０２’内にある場合、ワイヤレスデバイス３０４は、ワイヤレスデバイス３０８と通信するためにセル内ピアツーピアリソース５０４を利用し得るか、または相対的優先順位が、セル間ピアツーピアリソース５０６を同時に利用している他のセル間リンクよりも低い場合、ワイヤレスデバイス３０８と通信するためにセル間ピアツーピアリソース５０６を利用し得る。
【００２７】
ワイヤレスデバイス１００は、第２のワイヤレスデバイスが第１のセル内にあるのか第２のセル内にあるのかに関する更新された追加情報を受信し得る。そのような構成では、ワイヤレスデバイス１００は、更新された追加情報に基づいて、リソースの第１のセットを利用すべきかリソースの第２のセットを利用すべきかを判断し得る。リソースの第２のセットに関する受信した情報は、第１のセルと第２のセルとの間の協調に基づき得る。リソースの第１のセットは、第１のセル内のセル内ピアツーピア負荷と第１のセルのセルラー（たとえば、ＷＡＮ）負荷とに基づき得、リソースの第２のセットは、第１および第２のセルのセル間ピアツーピア負荷と、第１および第２のセルのセルラー負荷とに基づき得る。セル内ピアツーピア負荷は、第１のセル内のセル内ピアツーピアリンクの数に基づき得、セル間ピアツーピア負荷は、第１のセルと第２のセルとの間のセル間ピアツーピアリンクの数に基づき得る。セル内ピアツーピア負荷はトラフィック特性に基づき得る。
【００２８】
図７は、例示的な装置１００の機能を示す概念ブロック図７００である。装置１００は、第１のセルに関連するワイヤレスデバイスである。装置１００は、セル内ピアツーピア通信のためのリソースの第１のセットと、セル間ピアツーピア通信のためのリソースの第２のセットとに関する情報を受信するモジュール７０２を含む。さらに、装置１００は、受信した情報に基づいて、第１のセル内の第２のワイヤレスデバイスと通信するためにリソースの第１のセット、または第２のセル内の第２のワイヤレスデバイスと通信するためにリソースの第２のセットのうちの少なくとも１つを利用するモジュール７０４を含む。
【００２９】
図１を参照すると、一構成では、ワイヤレス通信のための装置１００は、セル内ピアツーピア通信のためのリソースの第１のセットと、セル間ピアツーピア通信のためのリソースの第２のセットとに関する情報を受信するための手段を含む。さらに、装置１００は、受信した情報に基づいて、第１のセル内の第２のワイヤレスデバイスと通信するためにリソースの第１のセット、または第２のセル内の第２のワイヤレスデバイスと通信するためにリソースの第２のセットのうちの少なくとも１つを利用するための手段を含む。一構成では、装置１００は、受信した情報に基づいて、第１のセル内の第２のワイヤレスデバイスと通信するためにリソースの第２のセットを利用するための手段を含む。一構成では、装置１００は、セル内ピアツーピア通信のためのリソースの第１のセット、またはセル間ピアツーピア通信のためのリソースの第２のセットのうちの少なくとも１つに関する更新された情報を受信するための手段を含む。一構成では、装置１００は、第２のワイヤレスデバイスが第１のセル内にあるのか第２のセル内にあるのかに関する追加情報を受信するための手段と、受信した追加情報に基づいて、リソースの第１のセットを利用すべきかリソースの第２のセットを利用すべきかを判断するための手段とを含む。一構成では、装置１００は、第２のワイヤレスデバイスが第１のセル内にあるのか第２のセル内にあるのかに関する更新された追加情報を受信するための手段を含む。上述の手段は、上述の手段によって具陳された機能を実行するように構成された処理システム１１４である。
【００３０】
開示したプロセス中のステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【００３１】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
以下に本件出願当初の特許請求の範囲に記載された発明を付記する。
［１］第１のセルに関連するワイヤレスデバイスを動作させる方法であって、
セル内ピアツーピア通信のためのリソースの第１のセットと、セル間ピアツーピア通信のためのリソースの第２のセットとに関する情報を受信することと、
前記受信した情報に基づいて、前記第１のセル内の第２のワイヤレスデバイスと通信するためにリソースの前記第１のセット、または第２のセル内の前記第２のワイヤレスデバイスと通信するためにリソースの前記第２のセットのうちの少なくとも１つを利用することと
を備える、方法。
［２］前記受信した情報に基づいて、前記第１のセル内の前記第２のワイヤレスデバイスと通信するためにリソースの前記第２のセットを利用することをさらに備える、［１］に記載の方法。
［３］前記第２のワイヤレスデバイスとの前記通信が、前記第１のセルと前記第２のセルとの間のセル間ピアツーピア通信のためのリソースの前記第２のセットを利用している別のリンクの優先順位よりも低い優先順位を有する、［２］に記載の方法。
［４］セル内ピアツーピア通信のためのリソースの前記第１のセット、またはセル間ピアツーピア通信のためのリソースの前記第２のセットのうちの少なくとも１つに関する更新された情報を受信することをさらに備え、前記利用することが、前記更新された情報に基づく、［１］に記載の方法。
［５］前記第２のワイヤレスデバイスが前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
をさらに備える、［１］に記載の方法。
［６］前記第２のワイヤレスデバイスが前記第１のセル内にあるのか前記第２のセル内にあるのかに関する更新された追加情報を受信することをさらに備え、前記判断することが、前記更新された追加情報に基づく、［５］に記載の方法。
［７］リソースの前記第２のセットに関する前記受信した情報が、前記第１のセルと前記第２のセルとの間の協調に基づく、［１］に記載の方法。
［８］リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、［１］に記載の方法。
［９］前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、［８］に記載の方法。
［１０］前記セル内ピアツーピア負荷がトラフィック特性に基づく、［８］に記載の方法。
［１１］ワイヤレス通信のための第１のセルに関連する装置であって、
セル内ピアツーピア通信のためのリソースの第１のセットと、セル間ピアツーピア通信のためのリソースの第２のセットとに関する情報を受信することと、
前記受信した情報に基づいて、前記第１のセル内の第２の装置と通信するためにリソースの前記第１のセット、または第２のセル内の前記第２の装置と通信するためにリソースの前記第２のセットのうちの少なくとも１つを利用することと
を行うように構成された処理システム
を備える、装置。
［１２］前記処理システムが、前記受信した情報に基づいて、前記第１のセル内の前記第２の装置と通信するためにリソースの前記第２のセットを利用するようにさらに構成された、［１１］に記載の装置。
［１３］前記第２の装置との前記通信が、前記第１のセルと前記第２のセルとの間のセル間ピアツーピア通信のためのリソースの前記第２のセットを利用している別のリンクの優先順位よりも低い優先順位を有する、［１２］に記載の装置。
［１４］前記処理システムは、セル内ピアツーピア通信のためのリソースの前記第１のセット、またはセル間ピアツーピア通信のためのリソースの前記第２のセットのうちの少なくとも１つに関する更新された情報を受信するようにさらに構成され、前記処理システムが、前記更新された情報に基づいてリソースの前記第１のセットまたはリソースの前記第２のセットのうちの少なくとも１つを利用する、［１１］に記載の装置。
［１５］前記処理システムは、
前記第２の装置が前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
を行うようにさらに構成された、［１１］に記載の装置。
［１６］前記処理システムは、前記第２の装置が前記第１のセル内にあるのか前記第２のセル内にあるのかに関する更新された追加情報を受信するようにさらに構成され、前記処理システムが、前記更新された追加情報に基づいて、リソースの前記第１のセットを利用すべきかリソースの前記第２のセットを利用すべきかを判断する、［１５］に記載の装置。
［１７］リソースの前記第２のセットに関する前記受信した情報が、前記第１のセルと前記第２のセルとの間の協調に基づく、［１１］に記載の装置。
［１８］リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、［１１］に記載の装置。
［１９］前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、［１８］に記載の装置。
［２０］前記セル内ピアツーピア負荷がトラフィック特性に基づく、［１８］に記載の装置。
［２１］第１のセルに関連する装置であって、
セル内ピアツーピア通信のためのリソースの第１のセットと、セル間ピアツーピア通信のためのリソースの第２のセットとに関する情報を受信するための手段と、
前記受信した情報に基づいて、前記第１のセル内の第２の装置と通信するためにリソースの前記第１のセット、または第２のセル内の前記第２の装置と通信するためにリソースの前記第２のセットのうちの少なくとも１つを利用するための手段と
を備える、装置。
［２２］前記受信した情報に基づいて、前記第１のセル内の前記第２の装置と通信するためにリソースの前記第２のセットを利用するための手段をさらに備える、［２１］に記載の装置。
［２３］前記第２の装置との前記通信が、前記第１のセルと前記第２のセルとの間のセル間ピアツーピア通信のためのリソースの前記第２のセットを利用している別のリンクの優先順位よりも低い優先順位を有する、［２２］に記載の装置。
［２４］セル内ピアツーピア通信のためのリソースの前記第１のセット、またはセル間ピアツーピア通信のためのリソースの前記第２のセットのうちの少なくとも１つに関する更新された情報を受信するための手段をさらに備え、前記利用するための手段が、前記更新された情報に基づいてリソースの前記第１のセットまたはリソースの前記第２のセットのうちの少なくとも１つを利用する、［２１］に記載の装置。
［２５］前記第２の装置が前記第１のセル内にあるのか前記第２のセル内にあるのかに関する追加情報を受信するための手段と、
前記受信した追加情報に基づいて、リソースの前記第１のセットを利用すべきかリソースの前記第２のセットを利用すべきかを判断するための手段と
をさらに備える、［２１］に記載の装置。
［２６］前記第２の装置が前記第１のセル内にあるのか前記第２のセル内にあるのかに関する更新された追加情報を受信するための手段をさらに備え、前記判断するための手段が、前記更新された追加情報に基づいて、リソースの前記第１のセットを利用すべきかリソースの前記第２のセットを利用すべきかを判断する、［２５］に記載の装置。
［２７］リソースの前記第２のセットに関する前記受信した情報が、前記第１のセルと前記第２のセルとの間の協調に基づく、［２１］に記載の装置。
［２８］リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、［２１］に記載の装置。
［２９］前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、［２８］に記載の装置。
［３０］前記セル内ピアツーピア負荷がトラフィック特性に基づく、［２８］に記載の装置。
［３１］第１のセルに関連するワイヤレスデバイス中のコンピュータプログラム製品であって、
セル内ピアツーピア通信のためのリソースの第１のセットと、セル間ピアツーピア通信のためのリソースの第２のセットとに関する情報を受信することと、
前記受信した情報に基づいて、前記第１のセル内の第２のワイヤレスデバイスと通信するためにリソースの前記第１のセット、または第２のセル内の前記第２のワイヤレスデバイスと通信するためにリソースの前記第２のセットのうちの少なくとも１つを利用することと
を行うためのコードを備えるコンピュータ可読媒体
を備える、コンピュータプログラム製品。
［３２］前記コンピュータ可読媒体が、前記受信した情報に基づいて、前記第１のセル内の前記第２のワイヤレスデバイスと通信するためにリソースの前記第２のセットを利用するためのコードをさらに備える、［３１］に記載のコンピュータプログラム製品。
［３３］前記第２のワイヤレスデバイスとの前記通信が、前記第１のセルと前記第２のセルとの間のセル間ピアツーピア通信のためのリソースの前記第２のセットを利用している別のリンクの優先順位よりも低い優先順位を有する、［３２］に記載のコンピュータプログラム製品。
［３４］前記コンピュータ可読媒体が、セル内ピアツーピア通信のためのリソースの前記第１のセット、またはセル間ピアツーピア通信のためのリソースの前記第２のセットのうちの少なくとも１つに関する更新された情報を受信するためのコードをさらに備え、前記利用するためのコードが、前記更新された情報に基づいてリソースの前記第１のセットまたはリソースの前記第２のセットのうちの少なくとも１つを利用する、［３１］に記載のコンピュータプログラム製品。
［３５］前記コンピュータ可読媒体は、
前記第２のワイヤレスデバイスが前記第１のセル内にあるのか前記第２のセル内にあるのかに関する追加情報を受信することと、
前記受信した追加情報に基づいて、リソースの前記第１のセットを利用すべきかリソースの前記第２のセットを利用すべきかを判断することと
を行うためのコードをさらに備える、［３１］に記載のコンピュータプログラム製品。
［３６］前記コンピュータ可読媒体は、前記第２のワイヤレスデバイスが前記第１のセル内にあるのか前記第２のセル内にあるのかに関する更新された追加情報を受信するためのコードをさらに備え、前記判断するためのコードが、前記更新された追加情報に基づいて、リソースの前記第１のセットを利用すべきかリソースの前記第２のセットを利用すべきかを判断する、［３５］に記載のコンピュータプログラム製品。
［３７］リソースの前記第２のセットに関する前記受信した情報が、前記第１のセルと前記第２のセルとの間の協調に基づく、［３１］に記載のコンピュータプログラム製品。
［３８］リソースの前記第１のセットが、前記第１のセル内のセル内ピアツーピア負荷と前記第１のセルのセルラー負荷とに基づき、リソースの前記第２のセットが、前記第１および第２のセルのセル間ピアツーピア負荷と、前記第１および第２のセルのセルラー負荷とに基づく、［３１］に記載のコンピュータプログラム製品。
［３９］前記セル内ピアツーピア負荷が、前記第１のセル内のセル内ピアツーピアリンクの数に基づき、前記セル間ピアツーピア負荷が、前記第１のセルと前記第２のセルとの間のセル間ピアツーピアリンクの数に基づく、［３８］に記載のコンピュータプログラム製品。
［４０］前記セル内ピアツーピア負荷がトラフィック特性に基づく、［３８］に記載のコンピュータプログラム製品。
【図１】
0005701992.tif 000002
【図２】
0005701992.tif 000003
【図３】
0005701992.tif 000004
【図４】
0005701992.tif 000005
【図５】
0005701992.tif 000006
【図６】
0005701992.tif 000007
【図７】
0005701992.tif 000008